(57)【要約】 【課題】  路肩縁石寄りに植設されている街路樹に対する管理上の適正化を図るための新しい育成方法を提供する。【解決手段】  既存又は新植の街路樹に対し、道路交通法に定める高さ基準を下回る樹高に裁断することに依って、その縦方向の発育停止と、これに起因する根の成長の停止を図り、更に、当該縦方向の発育停止に基づき、枝を横方向へ伸ばすような育成の促進化を図り、これにより、街路樹としての横方向の繁殖性を強めるようにすることを特徴とする街路樹の育成方法。【選択図】  図１
2014076031.tif 000002
【特許請求の範囲】
【請求項１】
既存又は新植の街路樹に対し、道路交通法に定める高さ基準を下回る樹高に裁断することに依って、その縦方向の発育停止と、これに起因する根の成長の停止を図り、更に、当該縦方向の発育停止に基づき、枝を横方向へ伸ばすような育成の促進化を図り、これにより、街路樹としての横方向の繁殖性を強めるようにすることを特徴とする街路樹の育成方法。
【請求項２】
既存又は新植の街路樹の裁断面に対して腐敗防止用カバーを取付けるようにした請求項１に記載の街路樹の育成方法。
【請求項３】
腐敗防止用カバーに吊設した所要のフラワーポットに対して草花等の植木を植設するようにした請求項２に記載の街路樹の育成方法。
【発明の詳細な説明】
【技術分野】
【０００１】
本発明は、路肩縁石寄りに植設されている街路樹に対する管理上の適正化を図るための育成方法に関する。
【背景技術】
【０００２】
従来、街路樹はその伸びを放置しておいた場合、電線に接触したり、風に依る倒伏事故等を生じたりするため、道路交通法に基づきその高さを常に所定高さ以下とすることが義務付けられている。  一方、街路樹はこれを放置していた場合、定められた高さ以上に直ぐ伸びてしまうため、定期的なる剪定処理を行なわなければならず、これに要する管理費用は行政にとっても負担性を伴うものである。
【０００３】
更に、街路樹はこれが高く伸びるにつれて根の張りが広がり、根元部分が露出したり道路の縁石を崩してしまったりするような問題が生じることとなった。
【０００４】
従来、このような問題を解決するための手段としては、街路樹の高さを定期的に測定しし、準以上となった場合に剪定作業を開始するための測定用センサー自動車（例えば、特許文献１参照。）の使用、或いは、街路樹の根の伸びによる弊害を防止するために、根全体を囲むように構成した管状体（例えば、特許文献２参照。）の埋設使用等がある。
【先行技術文献】
【特許文献】
【０００５】
【特許文献１】特開２０１２−１８７０９１号公報
【特許文献２】特開２０１０−１８３８４５号公報
【発明の概要】
【発明が解決しようとする課題】
【０００６】
前述したような定期的なる剪定処理を行うことは、専用の前記センサー自動車を用いてもこれは正確なる高さ管理測定が行われるに過ぎず、その定期的なる剪定作業の実行には相変わらず経済的負担性が伴うことを余儀なくされる。
【０００７】
また、根の張りを制御するための前記「管状体」の使用には、これを用いることに依る植設時のコスト的付加性が伴うばかりでなく、既存の街路樹に対する実施は殆ど不可能とされた。
【０００８】
本発明はこのような従来の問題点を解決するために新規な「街路樹の育成方法」の提供を図ったものである。
【課題を解決するための手段】
【０００９】
本発明は請求項１に記載のように、既存又は新植の街路樹Aに対し、道路交通法に定める高さ基準を下回る樹高に裁断することに依って、その縦方向の発育停止と、これに起因する根の成長の停止を図り、更に、当該縦方向の発育停止に基づき、枝を横方向へ伸ばすような育成の促進化を図り、これにより、街路樹としての横方向の繁殖性を強めるようにすることを特徴とする街路樹の育成方法に係る。
【００１０】
本発明は請求項２に記載のように、既存又は新植の街路樹Aの裁断面に対して腐敗防止用カバー２を取付けるようにした請求項１に記載の街路樹の育成方法を実施の態様とする。
【００１１】
本発明は請求項３に記載のように、腐敗防止用カバー２に吊設した所要のフラワーポット３に対して草花等の植木を植設するようにした請求項２に記載の街路樹の育成方法を実施の態様とする。
【発明の効果】
【００１２】
本発明は請求項１に記載のような構成、すなわち、既存又は新植の街路樹Aに対し、道路交通法に定める高さ基準を下回る樹高に裁断することに依って、その縦方向の発育停止と、これに起因する根の成長の停止を図り、更に、当該縦方向の発育停止に基づき、枝を横方向へ伸ばすような育成の促進化を図り、これにより、街路樹としての横方向の繁殖性を強めるようにすることに依り、根の過成長を阻止し、これに起因する縁石崩壊等の問題発生を未然に防止すると共に、樹高の過成長の度の剪定作業の実施と言う煩雑性並びに経費負担から解放される。  そして、台風に依る倒伏事故の防止、並びに過剰落ち葉に依る清掃の煩雑性と言うような、街路樹の伸長性に基づく弊害も解消化される。
【００１３】
また、本発明にあっては、街路樹としては横方向に繁殖させて通行人の目を楽しませる形態に作為的に変更的な繁殖性を図っているため、街路樹としての興趣性が高められ、新しい形態の街路樹の育成が図られる。
【００１４】
本発明は請求項２に記載のような構成、すなわち、既存又は新植の街路樹Aの裁断面に対して腐敗防止用カバー２を取付けるようにしたから、当該裁断面から雨水等が浸み込んで腐敗が生じるこが防止される。
【００１５】
本発明は請求項３に記載のような構成、すなわち、腐敗防止用カバー２に吊設した所要のフラワーポット３に対して草花等の植木を植設するようにしたから、フラワーポット３に季節に応じた適宜の草花等を植えておくことに依り、通行人の目を楽しませることができ、従来にはなかった街路樹としての興趣性が高められる。
【図面の簡単な説明】
【００１６】
【図１】本発明に係る育成法に基づき形成された街路樹の一例を表した説明用正面図である。
【図２】既存の街路樹を表しこれにより生ずる弊害を示した説明用正面図である。
【図３】本発明に係る基本的剪定形態を表した説明用正面図である。
【発明を実施するための形態】
【００１７】
本発明は、街路樹に使用されるような樹木は下記のような特異点が存在することに着眼して創作したものである。
１．  
成長力が強いため樹高が伸び易い点。
２．  
街路樹としてその樹高の上限基準は道路交通法に依り定められている点。
３．  
上記に基づき成長の都度、定期的な剪定作業を行わなければならない点。
４．  
樹高が高くなる度に根の張りが大きくなると言う特性を有する点。
５．  
根が張り過ぎた場合、縁石部分の押圧的崩壊が行われてしまう点。
６．  
道路上に根が浮き出して通行の邪魔となってしまう点。
７．  
樹高の成長を止めた場合、根の張りもコンパクト化されると言う特性を有する点。
８．  
樹高の成長を止めた場合、枝の密度が高まりかつ側方に伸びると言う特性を有する点。
【００１８】
図２は通常の街路樹Aとこれに発生する問題点を表したものである。  すなわち従来は、樹高が規定を超える都度、定期的にその剪定処理を行う、と言う作業を繰り返すものである。  そして、当該剪定を行う前の樹高成長の度に、根の成長が生じ、結局、樹高は定期的剪定に基づき一定高さに保たれていても、根の部分はその差剪定毎の間に継続的に成長して大きくなってしまう。  そのため、根の過成長に基づき、図２に示すように縁石１を押し動かしてこれの崩壊を招いたり、根元部分の地表からの浮き出部Bが生じてしまったりするような問題が伴った。
【００１９】
本発明は、このような従来の問題を解決するために、独自の形態の並木を形成可能とする街路樹の提供を図れるようにした街路樹の育成方法に関する。  
【００２０】
すなわち、本発明に係る街路樹の育成方法は、既存又は新植の街路樹に対し、道路交通法に定める高さ基準を下回る樹高に裁断することに依って、その縦方向の発育停止と、これに起因する根の成長の停止を図る。  そして、このような街路樹の縦方向の発育停止に基づき、枝を横方向へ伸ばすような育成の促進化を図る。  これにより、街路樹としての横方向の繁殖性を強めるようにすることを特徴とするものである。
【００２１】
なお、街路樹の高さ的裁断位置は、道路交通法で定める高さ以下であれば、任意の高さで良く、街路樹としての種類及び景観性を加味して任意に設定される。
【００２２】
本発明が対象とする街路樹は一般的に用いられている殆どすべての街路樹を対処とする。  そして、街路樹として採用されている樹木は、一般的に繁殖力が強く、伸長性及び根の張りの強さに優れているものが多い。  特に、樹高が伸びるにつれてこれを支えようとするために根の部分の成長も活発化することとなる。
【００２３】
本発明はこのような街路樹の特性に着眼し、伸長性を停止させることに依り、根の成長を停止させ、当該根の異常拡張化に基づく弊害発生の停止化を図ったことを第一の特徴とする。  図３はこのような剪定を早めに行ったために、根の繁殖が問題を生じさせない程度停止された状態を表したものである。
【００２４】
更に本発明は、植物は縦方向の伸長性が阻止された場合、その成長力は横方向の成長、すなわち、枝数の増加的成長、及びこれを密とする成長に転化されると言う特性に着目したものである。  すなわち、本発明は、街路樹としては横方向に繁殖させて通行人の目を楽しませる形態に作為的に繁殖させることも、街路樹としての興趣性が高められると言う観点から、新しい形態の街路樹の育成を図ったものである。
【００２５】
図１は本発明の実施例としての最終形態を表したものであり、縦方向の伸長性を阻止するための剪定面に対して、当該剪定面からの腐食化を阻止するための腐敗防止用カバー２を被着させると共に、街路樹としての興趣性付加のためのフラワーポット３を、当該腐敗防止用カバー２から吊り下げるようにしたものである。  従って、当該フラワーポット３に季節に応じた適宜の草花等を植えておくことに依り、通行人の目を楽しませることができ、従来にはなかった街路樹としての興趣性が高められる。
【００２６】
なお、本発明の実施対象とする街路樹は、既存のものであっても新規に植えるものであっても実施可能とするものである。
【符号の説明】
【００２７】
A  街路樹
B  根の部分
１  縁石
２  腐敗防止用カバー  
３  フラワーポット
【図１】
2014076031.tif 000003
【図２】
2014076031.tif 000004
【図３】
2014076031.tif 000005